(57)【要約】【課題】電力変換効率を向上させて、充電に要する時間が長くなってしまうのを抑制できるカメラを提供する。【解決手段】モニタユニット２０をカメラ本体１０に対して回転軸ＡＸ１，ＡＸ２で軸支されて回転可能とし、このモニタユニット２０の表示装置２３が設けられているモニタユニット背面２１とは反対側のモニタユニット前面２２側に２次コイル２４を設けるように構成した。したがって、１次コイル６４と２次コイル２４とを接近させることができ、かつ、大きな２次コイル２４を用いることができるので、電力変換効率が向上するとともに、２次電池７４の充電電力を増やすことができる。これにより、たとえば、コンパクトタイプのカメラよりも消費電力の大きい一眼レフタイプのデジタルカメラであっても、充電に要する時間が長くなってしまうのを抑制できる。【選択図】図２
2010109463.tif 000002
【特許請求の範囲】
【請求項１】
可動機構を介してカメラ本体に設けられているモニタと、
前記モニタの表示面側とは反対側の面である裏面側に設けられる非接触充電用の２次コイルとを備えることを特徴とするカメラ。
【請求項２】
可動機構を介してカメラ本体に設けられているモニタと、
前記モニタが収納されるカメラ本体のモニタ収容部と、
前記モニタ収容部に前記モニタを収納した際に前記モニタの表示面側または前記モニタの表示面側とは反対側の面である裏面側の表面と対向する対向面に沿って、前記カメラ本体に設けられる非接触充電用の２次コイルとを備えることを特徴とするカメラ。
【請求項３】
可動機構を介してカメラ本体に設けられているモニタと、
前記モニタが収納されるカメラ本体のモニタ収容部とを備え、
前記モニタ収容部は、前記モニタ収容部に前記モニタを収納した際に前記モニタと前記収容部の底面との間で非接触充電用の１次コイルを保持するための保持空間を有し、
前記保持空間に面した前記モニタの表面に沿って、または、前記保持空間に面した前記底面に沿って設けられる非接触充電用の２次コイルをさらに備えることを特徴とするカメラ。
【請求項４】
請求項１〜３のいずれか一項に記載のカメラにおいて、
前記カメラ本体に設けられた、前記２次コイルで発生した電力を蓄える２次電池の装着部をさらに備えることを特徴とするカメラ。
【発明の詳細な説明】
【技術分野】
【０００１】
本発明は、非接触充電によってカメラ本体に装着した２次電池の充電を行うことができるカメラに関する。
【背景技術】
【０００２】
カメラ側に２次コイルを備え、外部の１次コイルを近接させて非接触で充電を行うカメラが知られている。このように非接触充電を行うことができるカメラとして、たとえば撮影レンズを保護するためのレンズバリアの内部に２次コイルを設けたカメラが知られている（特許文献１参照）。
【０００３】
【特許文献１】特開２００３−１２５２５２号公報
【発明の開示】
【発明が解決しようとする課題】
【０００４】
しかし、上述した特許文献に記載のカメラでは、レンズバリアの面積が限られているため、電力消費量の大きい一眼レフタイプのカメラなどでは、充電に要する時間が長くなってしまう。
【課題を解決するための手段】
【０００５】
（１）  請求項１の発明によるカメラは、可動機構を介してカメラ本体に設けられているモニタと、モニタの表示面側とは反対側の面である裏面側に設けられる非接触充電用の２次コイルとを備えることを特徴とする。
（２）  請求項２の発明によるカメラは、可動機構を介してカメラ本体に設けられているモニタと、モニタが収納されるカメラ本体のモニタ収容部と、モニタ収容部にモニタを収納した際にモニタの表示面側またはモニタの表示面側とは反対側の面である裏面側の表面と対向する対向面に沿って、カメラ本体に設けられる非接触充電用の２次コイルとを備えることを特徴とする。
（３）  請求項３の発明によるカメラは、可動機構を介してカメラ本体に設けられているモニタと、モニタが収納されるカメラ本体のモニタ収容部とを備え、モニタ収容部は、モニタ収容部にモニタを収納した際にモニタと収容部の底面との間で非接触充電用の１次コイルを保持するための保持空間を有し、保持空間に面したモニタの表面に沿って、または、保持空間に面した底面に沿って設けられる非接触充電用の２次コイルをさらに備えることを特徴とする。
（４）  請求項４の発明は、請求項１〜３のいずれか一項に記載のカメラにおいて、カメラ本体に設けられた、２次コイルで発生した電力を蓄える２次電池の装着部をさらに備えることを特徴とする。
【発明の効果】
【０００６】
本発明によれば、電力変換効率を向上させて、充電に要する時間が長くなってしまうのを抑制できる。
【発明を実施するための最良の形態】
【０００７】
−−−第１の実施の形態−−−
図１〜６を参照して、本発明によるカメラの第１の実施の形態を説明する。図１は、本実施の形態のカメラを背面側から見た斜視図であり、模式的に示した図である。このカメラＣＡは、一眼レフタイプのカメラである。カメラＣＡは、カメラボディ（カメラ本体部分）１０、およびカメラ本体１０に対してお互いに直交する２本の回転軸ＡＸ１，ＡＸ２で軸支された回転可能なモニタユニット２０を備えている。カメラ本体１０の前面側には交換レンズ（撮影レンズ）Ｌが着脱可能に取り付けられる。３１は光学ファインダを観察するためのアイピースであり、３２はレリーズボタンである。
【０００８】
回転軸ＡＸ１は、カメラ本体１０の上下方向に延在し、回転軸ＡＸ２は、カメラ本体１０の左右方向（モニタユニット２０の幅方向）に延在する。モニタユニット２０は、図１（ａ）の状態から図１（ｂ），（ｃ），（ｄ）へと、カメラ本体１０に対して２本の回転軸ＡＸ１，ＡＸ２で矢印方向および矢印と反対方向に回転可能である。このような可動機構により撮影者はカメラのアングルに関わらず、被写体をモニタユニット２０で確認することができる。説明の便宜上、モニタユニット２０の表示面側の面をモニタユニット背面２１と呼び、モニタユニット背面２１とは反対側の面であって、後述する嵌合凹部２５が設けられている面をモニタユニット前面２２と呼ぶ。図１（ａ），（ｃ）では、モニタユニット背面２１がカメラ本体１０の後方に向いている状態を示している。
【０００９】
カメラ本体１０の背面側には、図１（特に図１（ｂ），（ｃ））に示すようにモニタユニット２０を収納する収納部１１が設けられている。収納部１１は、カメラ本体１０の背面側で、モニタユニット２０を収納するように設けられた凹部である。１１ａは、収納部１１に収納されたモニタユニット２０を収納部１１から引き上げて起こす際に、撮影者の指がモニタユニット２０の側面に掛かるようにするために収納部１１の周囲に設けられた切り欠きである。図１（ａ），（ｄ）に示すように、収納部１１にモニタユニット２０が収納されると、モニタユニット２０の後方を向いている面（モニタユニット背面２１またはモニタユニット前面２２）の高さが、カメラ本体１０の背面で収納部１１の周囲の面の高さと略等しくなるが、異なっていてもよい。
【００１０】
なお、２０ａは、モニタユニット背面２１をモニタユニット２０の後方に向けてモニタユニット２０を収納部１１に収納した際（図１（ａ））に、モニタユニット２０の上側となる位置を示すためのマークであり、説明の便宜上、各図に付したものである。説明の便宜上、以下の説明では、モニタユニット背面２１をカメラ本体１０の後方に向けてモニタユニット２０を収納部１１に収納した状態（図１（ａ））を第１収納状態と呼び、モニタユニット前面２２をカメラ本体１０の後方に向けてモニタユニット２０を収納部１１に収納した状態（図１（ｄ））を第２収納状態と呼ぶ。
【００１１】
図２は、モニタユニット２０について説明する図である。図２（ａ）は、第１収納状態にあったモニタユニット２０を収納部１１から引き上げて回転軸ＡＸ１周りに略９０度回動させ、さらに回転軸ＡＸ２周りに略１８０度回動させた状態を示す図であり、撮影レンズＬの記載が省略されている。図２（ｂ）は、図２（ａ）に示したモニタユニット２０の拡大図であり、図２（ｃ）は、図２（ｂ）のＣ矢視図であり、モニタユニット２０の断面を表す図である。モニタユニット２０の筐体内部には、撮影時の各種情報やスルー画などを表示する表示装置２３がモニタユニット背面２１側に配設されている。表示装置２３は、たとえば液晶表示装置（ＬＣＤ）などの表示装置であり、バックライトも備えている。なお、スルー画（スルー画像、またはライブビュー画像とも呼ぶ）は、記憶媒体への記録用の画像を取得するための撮影（本撮影）の前段階として不図示の撮像素子で繰り返し撮像することで取得される予備撮影画像である。
【００１２】
モニタユニット２０の筐体内部には、２次コイル２４がモニタユニット前面２２側に配設されている。２次コイル２４は、電磁誘導を利用した非接触充電を行うための受信側のコイルである。モニタユニット前面２２には、嵌合凹部２５が設けられている。嵌合凹部２５は、モニタユニット前面２２でモニタユニット背面２１側に向かって略矩形状に凹んでいる部位であり、後述する非接触充電器５０の１次コイルユニット６０の嵌合突部６１と嵌合して、嵌合突部６１を着脱可能に保持するように形成されている。
【００１３】
２次コイル２４の近傍には、ＡＣ／ＤＣコンバータ２６が設けられている。ＡＣ／ＤＣコンバータ２６は、２次コイル２４で発生した交流電力を直流電力に変換するための装置である。表示装置２３と２次コイル２４（ＡＣ／ＤＣコンバータ２６）の間には、シールド板２７が設けられている。表示装置２３から発生する電磁波はシールド板２７で遮断される。同時に２次コイル２４および１次コイルユニット６０から表示装置２３の方へ向かう不要な電磁波もこのシールド板２７で遮断される。
【００１４】
図１（ａ）に示すように、カメラ本体部分１０とモニタユニット２０の２カ所の軸支構造部分には、それぞれ２つの回転角度検出スイッチ４１、４２が設けられている。スイッチ４１は、上下回転軸ＡＸ１を中心としたモニタユニット２０の回転角度を検出する。
【００１５】
スイッチ４２は、上下回転軸ＡＸ１に対して直交する左右回転軸ＡＸ２を中心としたモニタユニット２０の回転角度を検出する。スイッチ４２の出力信号は、表示装置２３に映し出される画像の出力を上下反転させるか否かを判断する際に用いられる。すなわち、図１（ａ）の状態と図１（ｃ）の状態を比較すると、マーク２０ａの位置から明らかなように、モニタユニット２０は回転軸ＡＸ２に関して１８０度回転している。つまり、モニタユニット２０の上下が反転している。このときスイッチ４２により、回転軸ＡＸ２に関してモニタユニット２０がカメラ本体１０に対してなす角度を検出し、表示装置２３に表示される画像の上下を反転させる。これにより撮影者から見て自然な状態で画像が表示される。なお、スイッチ４１，４２に代えて、回転軸ＡＸ１，ＡＸ２周りの回動角度を検出する角度センサを用いてもよい。
【００１６】
図３は、非接触充電を行うための充電器５０を示す図であり、図３（ａ）は充電器５０の外観図である。図３（ｂ）は図３（ａ）のＢ矢視図であり、１次コイルユニット６０の断面を示している。充電器５０は、ＡＣ／ＡＣコンバータ５１と、１次コイルユニット６０とを備えている。５２は、たとえば一般家庭用の単相交流１００Ｖ用のコンセントに差し込むための差し込みプラグであり、５３は、差し込みプラグ５２とＡＣ／ＡＣコンバータ５１とを接続するコードであり、５４は、ＡＣ／ＡＣコンバータ５１と１次コイルユニット６０とを接続するコードである。図３（ａ）では、コード５３，５４は長いため、途中を省略して記載している。以下の各図においても同様である。
【００１７】
ＡＣ／ＡＣコンバータ５１は、たとえば５０Ｈｚまたは６０Ｈｚの単相１００Ｖの交流電源から、非接触充電に適した周波数や電圧の交流電源に変換する装置である。１次コイルユニット６０は、ＡＣ／ＡＣコンバータ５１で変換された電源電圧が印加される１次コイル６４を備える略平板状の部材である。１次コイルユニット６０の一方の面には嵌合突部６１が設けられている。嵌合突部６１は、１次コイルユニット６０の一方の面で略矩形状に突出した部位であり、モニタユニット前面２２の嵌合凹部２５と嵌合するように形成されている。嵌合突部６１が設けられた１次コイルユニット６０の一方の面を前面６２と呼び、前面６２とは反対側の面である、１次コイルユニット６０の他方の面を背面６３と呼ぶ。１次コイル６４は、１次コイルユニット６０の内部で前面６２側に設けられている。
【００１８】
図４（ａ），（ｂ）に示すように、モニタユニット２０のモニタユニット前面２２と、１次コイルユニット６０の前面６２とを向かい合わせて、モニタユニット２０に１次コイルユニット６０を取り付けることができる。モニタユニット２０に１次コイルユニット６０を取り付けると、上述したように、１次コイルユニット６０の嵌合突部６１がモニタユニット２０の嵌合凹部２５に嵌合して、１次コイルユニット６０がモニタユニット２０に固定される。このとき、１次コイル６４と２次コイル２４とが向かい合って互いに接近する。１次コイルユニット６０が取り付けられた状態であっても、モニタユニット２０は、回転軸ＡＸ１，ＡＸ２周りに回動可能である。
【００１９】
たとえば、図４（ｃ）に示すように、１次コイルユニット６０が取り付けられた状態であっても、モニタユニット背面２１をカメラ本体１０の後方に向ければ、撮影者は表示装置２３に表示されるスルー画を観察することで被写体を確認することができる。また、図４（ｄ）に示すように、１次コイルユニット６０が取り付けられた状態であっても、モニタユニット前面２２をカメラ本体１０の後方に向けて、すなわち第２収納状態でモニタユニット２０を収納部１１に収納することができる。この場合には、撮影者はアイピース３１を介して光学ファインダを観察することで被写体を確認できる。なお、モニタユニット２０に対する１次コイルユニット６０の取付方向は、図５（ａ）に示すように、モニタユニット２０が第２収納状態であるときに、カメラ本体１０を背面から見たときに１次コイルユニット６０からコード５４が右方向に出るように取り付けることもでき、図５（ｂ）に示すように１次コイルユニット６０からコード５４が左方向に出るように取り付けることもできる。
【００２０】
図６は、本実施の形態のカメラの充電システムについてのブロック図である。上述したように、充電器５０には、ＡＣ／ＡＣコンバータ５１と、１次コイル６４とが設けられている。モニタユニット２０には、表示装置２３と、２次コイル２４と、ＡＣ／ＤＣコンバータ２６とが設けられている。カメラ本体１０には、充電制御回路７１と、ＤＣ／ＤＣコンバータ７２と、マイコン７３と、２次電池７４と、ダイオード７５と、表示制御部７６とが設けられている。充電制御回路７１は、ＡＣ／ＤＣコンバータ２６から供給される直流電力を利用した２次電池７４への充電を制御する回路である。ＤＣ／ＤＣコンバータ７２は、ＡＣ／ＤＣコンバータ２６から供給される直流電力の電圧をマイコン７３の動作に適した電圧へと変換する装置である。
【００２１】
マイコン７３は、撮影動作などのカメラ本体１０の各部の動作の制御などを行うほか、２次電池７４への充電の開始や終了を充電制御回路７１に指示する。２次電池７４は、カメラ本体１０の電力源として用いられる２次電池であり、カメラ本体１０の不図示のバッテリ収納部に着脱可能に収納される。ダイオード７５は、２次電池７４から充電制御回路７１への逆流防止用ダイオードである。表示制御部７６は、マイコン７３からの制御信号に基づいて、表示装置２３の表示制御を行う。
【００２２】
差し込みプラグ５２をコンセントに差し込んだ状態で、上述したように１次コイルユニット６０をモニタユニット２０に取り付けると、１次コイル６４で発生した磁界により２次コイル２４で起電力が発生する。この起電力はＡＣ／ＤＣコンバータ２６で直流電力に変換されて充電制御回路７１に供給される。マイコン７３はポートＰ１で検出される電圧に基づいて、充電制御回路７１に供給される直流電力の電圧が所定の電圧レベル（充電開始レベル）に達したと判断すると、ポートＰ２から充電制御回路７１へ充電開始を許可する信号を送信する。
【００２３】
これにより、充電制御回路７１は、２次電池７４への充電を開始する。また、マイコン７３は、充電制御回路７１に供給される直流電力の電圧が充電開始レベルに達したと判断すると、ポートＰ３から表示制御回路７６へ充電を開始したことを表す信号を送信する。これにより、表示制御回路７６が、２次電池７４が充電中であることを示す表示を行うように表示装置２３を制御するので、表示装置２３には、たとえば充電中であること示すアイコンなどが表示される。
【００２４】
１次コイルユニット６０がモニタユニット２０から取り外されたり、差し込みプラグ５２がコンセントから抜かれたりするなどして、２次コイル２４で発生する起電力が弱まるか生じなくなると、ＡＣ／ＤＣコンバータ２６から充電制御回路７１に供給される直流電力の電圧が低下する。マイコン７３はポートＰ１で検出される電圧に基づいて、充電制御回路７１に供給される直流電力の電圧が所定の電圧レベル（充電停止レベル）まで低下したと判断すると、ポートＰ２から充電制御回路７１へ充電停止を指示する信号を送信する。
【００２５】
これにより、充電制御回路７１は、２次電池７４への充電を停止する。また、マイコン７３は、充電制御回路７１に供給される直流電力の電圧が充電停止レベルまで低下したと判断すると、ポートＰ３から表示制御回路７６へ充電を停止したことを表す信号を送信する。これにより、表示制御回路７６が、２次電池７４が充電中であることを示す表示を中止するように表示装置２３を制御するので、表示装置２３では、たとえば充電中であること示すアイコンなどの表示が中止される。
【００２６】
２次電池７４が充電されるにつれて、充電制御回路７１から出力される電圧が徐々に高くなる。マイコン７３はポートＰ１で検出される電圧に基づいて、２次電池７４に印加される電圧が所定の電圧レベル（充電完了レベル）まで達したと判断すると、ポートＰ２から充電制御回路７１へ充電停止を指示する信号を送信する。
【００２７】
これにより、充電制御回路７１は、２次電池７４への充電を停止する。また、マイコン７３は、充電制御回路７１に供給される直流電力の電圧が充電完了レベルまで達したと判断すると、ポートＰ３から表示制御回路７６へ充電を停止したことを表す信号を送信する。これにより、表示制御回路７６が、２次電池７４が充電中であることを示す表示を中止するように表示装置２３を制御するので、表示装置２３では、たとえば充電中であること示すアイコンなどの表示が中止される。
【００２８】
上述した第１の実施の形態のカメラでは、次の作用効果を奏する。
（１）  モニタユニット２０をカメラ本体１０に対して回転軸ＡＸ１，ＡＸ２で軸支されて回転可能とし、このモニタユニット２０の表示装置２３が設けられているモニタユニット背面２１とは反対側のモニタユニット前面２２側に２次コイル２４を設けるように構成した。すなわち、カメラ本体１０で広い平面部分を有するモニタユニット２０に２次コイル２４を配設した。したがって、１次コイル６４と２次コイル２４とを接近させることができ、かつ、大きな２次コイル２４を用いることができるので、電力変換効率が向上するとともに、２次電池７４の充電電力を増やすことができる。これにより、たとえば、コンパクトタイプのカメラよりも消費電力の大きい一眼レフタイプのデジタルカメラであっても、すなわち、容量の大きい２次電池７４であっても充電に要する時間が長くなってしまうのを抑制できる。
【００２９】
（２）  ２次コイル２４をモニタユニット２０に設け、２次電池７４をカメラ本体１０側に設けるように構成した。したがって、従来のカメラと比べて２次電池７４の収納位置を特に変更する必要がない。また、モニタユニット２０自体が従来から広い面積を有する部分であるので、２次コイル２４などを新たに配設する際の設計変更が少なくて済む。これにより、設計変更に要するコストを抑制できる。
【００３０】
（３）  １次コイルユニット６０の嵌合突部６１と嵌合する嵌合凹部２５をモニタユニット前面２２に設け、１次コイルユニット６０がモニタユニット２０に着脱可能に固定されるように構成した。また、１次コイルユニット６０が取り付けられた状態であっても、モニタユニット２０が回転軸ＡＸ１，ＡＸ２周りに回動可能となるように構成した。これにより、充電器５０のコード５３，５４による制約があるものの、充電しながら撮影を行うことができるので、利便性が高い。また、１次コイルユニット６０がモニタユニット２０に固定されているので、カメラ本体１０を動かしても充電不良が生じ難く、充電しながらの撮影を容易に行える。
【００３１】
（４）  図４（ｃ）に示すように、１次コイルユニット６０が取り付けられた状態であっても、モニタユニット背面２１をカメラ本体１０の後方に向けることで、撮影者が被写体をモニタユニット２０で確認することができるように構成した。これにより、充電しながらの撮影であっても被写体像をモニタユニット２０で確認できるので利便性が高い。
【００３２】
（５）  図４（ｄ）に示すように、１次コイルユニット６０が取り付けられた状態であっても、モニタユニット前面２２をカメラ本体１０の後方に向けて、すなわち第２収納状態でモニタユニット２０を収納部１１に収納することができるように構成した。これにより、充電時であってもモニタユニット２０を収納部１１に収納できるので、カメラ本体１０からの突出部分を減らすことができ、充電中に意図せずモニタユニット２０に外力が作用してモニタユニット２０を破損するなどのトラブルを防止できるとともに、見栄えもよくなる。
【００３３】
−−−第２の実施の形態−−−
図７，８を参照して、本発明によるカメラの第２の実施の形態を説明する。以下の説明では、第１の実施の形態と同じ構成要素には同じ符号を付して相違点を主に説明する。特に説明しない点については、第１の実施の形態と同じである。本実施の形態では、主に、１次コイルユニット６０がモニタユニット２０に取り付けられた状態であってもモニタユニット２０を第１収納状態で収納できる点で、第１の実施の形態と異なる。
【００３４】
１次コイルユニット６０が取り付けられたモニタユニット２０を第１収納状態で収納するために、第２の実施の形態のカメラ本体１０では、図７（ａ），（ｂ）に示すように、第１の実施の形態の収納部１１よりも凹部の奥行きがカメラ本体１０前方に向かって深い収納部１２が形成されている。１２ａは、収納部１２に収納されたモニタユニット２０を収納部１２から引き上げて起こす際に、撮影者の指がモニタユニット２０の側面に掛かるようにするために収納部１２の周囲に設けられた切り欠きである。この切り欠き１２ａは、後述するように１次コイルユニット６０が取り付けられたモニタユニット２０を第１収納状態で収納した際に、充電器５０のコード５４を収納部１２の外に引き出すための空間も兼ねるため、第１の実施の形態の切り欠き１１ａよりも、カメラ本体１０の前方に向かって深く切り欠かれている。
【００３５】
１２ｃは、収納部１２の凹部の底面であり、モニタユニット２０を第１収納状態で収納した際にはモニタユニット前面２２が、モニタユニット２０を第２収納状態で収納した際にはモニタユニット背面２１がそれぞれ対向する面である。１次コイルユニット６０が取り付けられていないモニタユニット２０を第１収納状態で収納すると、図７（ａ）に示すように、モニタユニット前面２２と底面１２ｃとが離間して空間１２ｂが形成される。図示はしないが、１次コイルユニット６０が取り付けられていないモニタユニット２０を第２収納状態で収納した場合も同様に、モニタユニット背面２１と底面１２ｃとが離間して空間１２ｂが形成される。
【００３６】
本実施の形態のカメラ本体１０では、たとえば図８（ａ）に示すように、モニタユニット２０のモニタユニット前面２２と、１次コイルユニット６０の前面６２とを向かい合わせて、モニタユニット２０に１次コイルユニット６０を取り付けた後、図８（ｂ）に示すように、モニタユニット２０を第１収納状態で収納できる。すなわち、１次コイルユニット６０がカメラ本体１０の前方側に位置するように、モニタユニット２０がカメラ本体１０の後方側に位置するように、そして、モニタユニット背面２１（表示面側）がカメラ本体１０の後方に向くようにして、モニタユニット２０を収納部１２に収納できる。
【００３７】
このとき、１次コイルユニット６０に接続されているコード５４は、上述したように切り欠き１２ａからカメラ本体１０の外部に引き出される。換言すると、モニタユニット２０を第１収納状態で収納した際に、コード５４が切り欠き１２ａの設けられている側に位置するように、モニタユニット２０に対する１次コイルユニット６０の取付方向を決める必要がある。なお、当該取付方向にのみモニタユニット２０に１次コイルユニット６０を取り付けることができるようにするため、嵌合突部６１および嵌合凹部２５の形状を適宜変更してもよい。
【００３８】
第２の実施の形態のカメラでは、第１の実施の形態の作用効果に加えて、次の作用効果を奏する。
（１）  第１の実施の形態の収納部１１よりも凹部の奥行きが深い収納部１２を形成し、１次コイルユニット６０が取り付けられたモニタユニット２０を第１収納状態で収納できるように構成した。これにより、充電中であってもモニタユニット２０を第１収納状態で収納でき、かつ、撮影者が被写体をモニタユニット２０で確認することができるので、外観の見栄えと、モニタユニット２０によって被写体の確認を行える利便性とを両立できる。
【００３９】
（２）  モニタユニット２０を第１収納状態で収納した際に、１次コイルユニット６０に接続されているコード５４が切り欠き１２ａからカメラ本体１０の外部に引き出されるように構成した。これにより、コード５４を引き出すためだけの切り欠き部分を収納部１２の周囲に設ける必要がないので、外観の見栄えを損なわない。
【００４０】
−−−第３の実施の形態−−−
図９を参照して、本発明によるカメラの第３の実施の形態を説明する。以下の説明では、第１および第２の実施の形態と同じ構成要素には同じ符号を付して相違点を主に説明する。特に説明しない点については、第１および第２の実施の形態と同じである。本実施の形態では、主に、モニタユニット前面２２と底面１２ｃとの間で１次コイルユニット６０を挟み込んで保持する点で、第１および第２の実施の形態と異なる。
【００４１】
図９に示すように、第３の実施の形態では、カメラ本体１０に収納部１２が設けられている点で第２の実施の形態のカメラ本体１０と同様であるが、１次コイルユニット６０の前面６２には嵌合突部６１が設けられておらず、モニタユニット２０のモニタユニット前面２２には嵌合凹部２５が設けられていない。そのため、そのままでは、１次コイルユニット６０をモニタユニット２０に固定できない。そこで、第３の実施の形態では、前面６２をカメラ本体１０の後方に向け、コード５４が切り欠き１２ａの設けられている側に位置するようにして１次コイルユニット６０を収納部１２に挿入し、その後、モニタユニット２０を第１収納状態で収納部１２に収納する。すなわち、収納部１２に載置した１次コイルユニット６０の上からモニタユニット２０で蓋をするような状態で収納部１２に１次コイルユニット６０を固定する。これにより、モニタユニット前面２２と、１次コイルユニット６０の前面６２とを向かい合わせた状態で、モニタユニット前面２２と底面１２ｃとの間で１次コイルユニット６０を挟み込んで保持できる。本実施の形態では、モニタユニット２０と底面１２ｃとの間の空間１２ｂ（図７（ａ）、図９（ｂ））が１次コイルユニット６０の保持空間となっている。
【００４２】
第３の実施の形態のカメラでは、第１および第２の実施の形態の作用効果に加えて、次の作用効果を奏する。
（１）  モニタユニット前面２２と底面１２ｃとの間で１次コイルユニット６０を挟み込んで保持できるように構成したので、１次コイルユニット６０やモニタユニット２０に嵌合突部６１や嵌合凹部２５を設けなくてもよく、設計が容易となるほか、製造コストの増加を抑制できる。
【００４３】
（２）  １次コイルユニット６０やモニタユニット２０に嵌合突部６１や嵌合凹部２５を設けなくてもよくなるので、嵌合突部６１や嵌合凹部２５がない分、１次コイルユニット６０やモニタユニット２０の厚さを薄くでき、カメラ本体１０の小型化に資する。
【００４４】
−−−変形例−−−
（１）  上述の説明では、モニタユニット２０に２次コイル２４が設けられているが、本発明はこれに限定されない。たとえば、上述した第２の実施の形態では、１次コイルユニット６０が取り付けられたモニタユニット２０を第１収納状態で収納部１２に収納でき、上述した第３の実施の形態では、モニタユニット２０と底面１２ｃとの間の空間１２ｂで１次コイルユニット６０を保持できるので、図１０に示すように、収納部１２の底面１２ｃに沿って、２次コイルを設けてもよい。この場合には、ＡＣ／ＤＣコンバータ２６もカメラ本体１０側に設けられることになる。これにより、第２および第３の実施の形態と比べてモニタユニット２０の厚さを薄くできるので、モニタユニット２０の取り回しが容易となる。また、モニタユニット２０とカメラ本体１０との間の配線を減らせるので、回転軸ＡＸ１，ＡＸ２近傍で配線を通すための機構を簡素化できる。
【００４５】
（２）  上述の説明では、１次コイルユニット６０の嵌合突部６１とモニタユニット２０の嵌合凹部２５とを嵌合させることで１次コイルユニット６０がモニタユニット２０に着脱可能に固定されるように構成したが、本発明はこれに限定されない。たとえば、図１１（ａ）に示すように、１次コイルユニット６０の外周部分に係止爪６５を設け、図１１（ｂ）に示すように、係止爪６５をモニタユニット２０の外周部分に引っかけて係止させることで１次コイルユニット６０がモニタユニット２０に着脱可能に固定されるように構成してもよい。この場合には、モニタユニット２０を収納部１１に収納した際に、係止爪６５が干渉しないように切り欠き１１ｂを収納部１１の周囲に設ける必要がある。
【００４６】
（３）  上述した第３の実施の形態では、収納部１２に載置（挿入）した１次コイルユニット６０の上からモニタユニット２０で蓋をするような状態で収納部１２に１次コイルユニット６０を固定するように構成したが、本発明はこれに限定されない。たとえば、第１の実施の形態の収納部１１からモニタユニット２０を引き起こし、その後、この収納部１１に、図１２（ｂ）に示すように、１次コイルユニット６０を装着するように構成してもよい。すなわち、充電中にモニタユニット２０を収納部１１に収納しなくてもよいのであれば、第２および第３の実施の形態の収納部１２のように、収納部１１の凹部の深さを深くする必要はなく、モニタユニット２０を引き起こして空いた空間となる収納部１１に１次コイルユニット６０を装着するように構成してもよい。
【００４７】
ただし、この場合には、図１２（ａ）に示すように、収納部１１の凹部の底面１１ｃに沿って２次コイルを設ける必要がある。そして、前面６２をカメラ本体１０の前方に向け、コード５４が切り欠き１１ａの設けられている側に位置するようにして１次コイルユニット６０を収納部１１に挿入することで、１次コイル６４と２次コイル２４とを接近させて対向させることができる。なお、この場合には、収納部１１に挿入した１次コイルユニット６０が収納部１１から容易に外れないように、抜け止めとなる構造を設けておくことが望ましい。また、収納部１１に挿入した１次コイルユニット６０が収納部１１から容易に取り外すことができるように指が掛かる部分なども設けておくことが望ましい。
【００４８】
図１３（ａ）は、図１２におけるカメラ本体１０を上方から見たときの断面を模式的に示した図である。２次コイル２４は、収納部１１の凹部の底面１１ｃとメイン基板７７との間に設けられている。ここで、メイン基板７７は、マイコン７３などが設けられている基板である。なお、図１３（ｂ）に示すように、２次コイル２４は、収納部１１の凹部の底面１１ｃ上に、すなわち、底面１１ｃのカメラ本体後方側に設けられていてもよい。この場合には、収納部１１に１次コイルユニット６０を装着していないときにモニタユニット２０を収納部１１に収納できるように、２次コイル２４の厚みを考慮して、収納部１１の凹部の深さを図１３（ａ）の場合よりも深くすることが望ましい。
【００４９】
（４）  上述した嵌合突部６１や嵌合凹部２５の形状は単なる一例であり、嵌合突部６１や嵌合凹部２５と、１次コイル６４や２次コイル２４との位置関係も単なる一例である。したがって本発明はこれら形状・位置関係に限定されず、同様の作用をもたらす形状・位置関係であればよい。
【００５０】
（５）  上述の説明に用いた各図は模式的に示した図である。したがって、本発明は、１次コイルユニット６０やモニタユニット２０などの各部の寸法などは、各図に示した大小関係や位置関係に限定されない。
【００５１】
（６）  上述した第２および第３の実施の形態では、収納部１２に１次コイルユニット６０とモニタユニット２０とが同時に収納するために収納部１２の凹部の奥行きを第１の実施の形態の収納部１１の凹部の奥行きよりも深くしているが、本発明はこれに限定されない。たとえば、従来から第１または第２収納状態でモニタユニット２０と底面１１ｃとの間にある程度の隙間が存在するのであれば、フレキシブルプリント基板によって１次コイル６４を構成するなど、１次コイルユニット６０の厚さを薄くすることによって、収納部１１の凹部の深さをあえて深くしなくてもよい。この場合には、当該隙間に厚さの薄い１次コイルユニット６０を挿入することで、上述した第３の実施の形態と同様に１次コイルユニット６０を保持できる。
【００５２】
（７）  上述の説明では、充電器５０のＡＣ／ＡＣコンバータ５１と１次コイルユニット６０とが別々に設けられ、これらがコード５４で接続されているが、ＡＣ／ＡＣコンバータ５１と１次コイル６４とを一体化してもよい。
【００５３】
（８）  上述の説明では、カメラＣＡは一眼レフタイプのカメラであるが、本発明はこれに限定されず、いわゆるコンパクトタイプのカメラであってもよい。
（９）  上述した各実施の形態および変形例は、それぞれ組み合わせてもよい。
【００５４】
なお、本発明は、上述した実施の形態のものに何ら限定されず、可動機構を介してカメラ本体に設けられているモニタと、モニタの表示面側とは反対側の面である裏面側に設けられる非接触充電用の２次コイルとを備えることを特徴とする各種構造のカメラを含むものである。
【００５５】
また、本発明は、上述した実施の形態のものに何ら限定されず可動機構を介してカメラ本体に設けられているモニタと、モニタが収納されるカメラ本体のモニタ収容部と、モニタ収容部にモニタを収納した際にモニタの表示面側またはモニタの表示面側とは反対側の面である裏面側の表面と対向する対向面に沿って、カメラ本体に設けられる非接触充電用の２次コイルとを備えることを特徴とする各種構造のカメラを含むものである。
【００５６】
さらに、本発明は、上述した実施の形態のものに何ら限定されず、可動機構を介してカメラ本体に設けられているモニタと、モニタが収納されるカメラ本体のモニタ収容部とを備え、モニタ収容部は、モニタ収容部にモニタを収納した際にモニタと収容部の底面との間で非接触充電用の１次コイルを保持するための保持空間を有し、保持空間に面したモニタの表面に沿って、または、保持空間に面した底面に沿って設けられる非接触充電用の２次コイルをさらに備えることを特徴とする各種構造のカメラを含むものである。
【図面の簡単な説明】
【００５７】
【図１】第１の実施の形態のカメラを背面側から見た斜視図であり、模式的に示した図である。
【図２】モニタユニット２０について説明する図である。
【図３】充電器５０を示す図である。
【図４】モニタユニット２０への１次コイルユニット６０の取り付けについて説明する図である。
【図５】モニタユニット２０への１次コイルユニット６０の取り付け方向について説明する図である。
【図６】カメラの充電システムについてのブロック図である。
【図７】第２の実施の形態のカメラを背面側から見た斜視図であり、模式的に示した図である。
【図８】１次コイルユニット６０が取り付けられたモニタユニット２０の収納部１２への収納について説明する図である。
【図９】第３の実施に形態のカメラで、１次コイルユニット６０およびモニタユニット２０の収納部１２への収納について説明する図である。
【図１０】変形例について説明する図である。
【図１１】変形例について説明する図である。
【図１２】変形例について説明する図である。
【図１３】カメラ本体１０を上方から見たときの断面を模式的に示した図である。
【符号の説明】
【００５８】
１０  カメラ本体                        １１，１２  収納部
２０  モニタユニット                    ２３  表示装置
２４  ２次コイル                        ５０  充電器
６０  １次コイルユニット                ＣＡ  カメラ
Ｌ  交換レンズ（撮影レンズ）
【図１】
2010109463.tif 000003
【図２】
2010109463.tif 000004
【図３】
2010109463.tif 000005
【図４】
2010109463.tif 000006
【図５】
2010109463.tif 000007
【図６】
2010109463.tif 000008
【図７】
2010109463.tif 000009
【図８】
2010109463.tif 000010
【図９】
2010109463.tif 000011
【図１０】
2010109463.tif 000012
【図１１】
2010109463.tif 000013
【図１２】
2010109463.tif 000014
【図１３】
2010109463.tif 000015